(57)【特許請求の範囲】
【請求項１】
表示部の画面上に操作部を重ねて配置した表示操作部と、
他の入力装置との間でのデータの送受信を制御する通信部と、
前記表示操作部でメッセージ情報を指定するメッセージ指定手段と、
前記メッセージ指定手段によって指定された前記メッセージ情報の送信先となる他の入力装置を前記表示操作部で指定する送信先指定手段と、
前記メッセージ情報を前記送信先に対して前記通信部を介して送信するメッセージ送信手段と、
他の入力装置から送信された前記メッセージ情報を前記通信部を介して受信するメッセージ受信手段と、
受信した前記メッセージ情報を前記表示操作部に表示するメッセージ表示手段と、
を備え、
前記送信先指定手段は、全ての入力装置への送信を指定するキーと、個別の入力装置への送信を指定する個別ＩＤが割り振られたキーとが配置されている宛先選択画面を表示して送信先を選択させる、
ことを特徴とする入力装置。
【請求項２】
前記メッセージ指定手段は、前記表示操作部における操作者による手書きのメッセージ入力に基づく前記メッセージ情報を指定する、
ことを特徴とする請求項１記載の入力装置。
【請求項３】
省電力化を図る省電力モードにおいて前記通信部を介したデータ受信を可能にする省電力手段を更に備え、
前記メッセージ受信手段が前記省電力モード中に前記メッセージ情報を前記通信部を介して受信した場合、前記メッセージ表示手段は、前記メッセージ情報を前記表示操作部に表示するとともに、当該メッセージ情報を受信した旨を報知する、
ことを特徴とする請求項１または２記載の入力装置。
【請求項４】
表示部の画面上に操作部を重ねて配置した表示操作部と、他の入力装置との間でのデータの送受信を制御する通信部と、を備える入力装置を制御するコンピュータを、
前記表示操作部でメッセージ情報を指定するメッセージ指定手段と、
前記メッセージ指定手段によって指定された前記メッセージ情報の送信先となる他の入力装置を前記表示操作部で指定する送信先指定手段と、
前記メッセージ情報を前記送信先に対して前記通信部を介して送信するメッセージ送信手段と、
他の入力装置から送信された前記メッセージ情報を前記通信部を介して受信するメッセージ受信手段と、
受信した前記メッセージ情報を前記表示操作部に表示するメッセージ表示手段と、として機能させ、
前記送信先指定手段は、全ての入力装置への送信を指定するキーと、個別の入力装置への送信を指定する個別ＩＤが割り振られたキーとが配置されている宛先選択画面を表示して送信先を選択させる、
ためのプログラム。
【請求項５】
前記メッセージ指定手段は、前記表示操作部における操作者による手書きのメッセージ入力に基づく前記メッセージ情報を指定する、
ことを特徴とする請求項４記載のプログラム。
【請求項６】
省電力化を図る省電力モードにおいて前記通信部を介したデータ受信を可能にする省電力手段として更に前記コンピュータを機能させ、
前記メッセージ受信手段が前記省電力モード中に前記メッセージ情報を前記通信部を介して受信した場合、前記メッセージ表示手段は、前記メッセージ情報を前記表示操作部に表示するとともに、当該メッセージ情報を受信した旨を報知する、
ことを特徴とする請求項４または５記載のプログラム。
【発明の詳細な説明】
【技術分野】
【０００１】
本発明の実施形態は、入力装置およびプログラムに関する。
【背景技術】
【０００２】
例えばファミリーレストランや居酒屋等の多くの飲食店では、メニュー品目の注文の受付業務や会計業務などの種々の業務に関する処理を実行する処理装置が利用されている。このような処理装置では、店員等のユーザの操作を入力装置で入力し、その入力された操作に応じた処理を実行する。
【０００３】
具体的には、飲食店で使用されるシステムの場合、上記の入力装置および処理装置はそれぞれ、例えばオーダー端末およびステーション（サーバ）である。そしてこの場合にオーダー端末では、顧客により注文されたメニュー品目を指定する操作を入力する。オーダー端末は、入力した操作に基づいて注文されたメニュー品目のリストを含んだオーダー情報を生成し、それをステーションに送信する。ステーションは、オーダー情報に基づいて、調理指示伝票の作成や売上管理処理などを行う。
【発明の概要】
【発明が解決しようとする課題】
【０００４】
ところで、従来のオーダー端末においては、オーダー情報以外にも各種のメッセージ情報を生成してステーションに送信することができるものがある。このようにしてステーションに送信されたメッセージ情報は、ステーションから他のオーダー端末に対して配信される。
【０００５】
ところが、ステーションを介したオーダー端末間におけるメッセージ情報の送受信によれば、ステーションのデータ送受信機能に障害が発生した場合には、他のオーダー端末に対してメッセージ情報を届けられなくなる、という問題がある。
【課題を解決するための手段】
【０００６】
実施形態の入力装置は、表示部の画面上に操作部を重ねて配置した表示操作部と、他の入力装置との間でのデータの送受信を制御する通信部と、前記表示操作部でメッセージ情報を指定するメッセージ指定手段と、前記メッセージ指定手段によって指定された前記メッセージ情報の送信先となる他の入力装置を前記表示操作部で指定する送信先指定手段と、前記メッセージ情報を前記送信先に対して前記通信部を介して送信するメッセージ送信手段と、他の入力装置から送信された前記メッセージ情報を前記通信部を介して受信するメッセージ受信手段と、受信した前記メッセージ情報を前記表示操作部に表示するメッセージ表示手段と、を備え、前記送信先指定手段は、全ての入力装置への送信を指定するキーと、個別の入力装置への送信を指定する個別ＩＤが割り振られたキーとが配置されている宛先選択画面を表示して送信先を選択させる。
【図面の簡単な説明】
【０００７】
【図１】図１は、実施形態に係る注文処理システムの構成を示すシステム構成図である。
【図２】図２は、オーダー端末の外観を示す平面図である。
【図３】図３は、オーダー端末のハードウェア構成を示すブロック図である。
【図４】図４は、オーダー端末のマイクロコンピュータが発揮するメッセージ送受信処理にかかる機能を示すブロック図である。
【図５】図５は、オーダー端末のメッセージ送信処理の流れの一例を示すフローチャートである。
【図６】図６は、オーダー端末のディスプレイのメッセージ送信処理における画面遷移例を示す図である。
【図７】図７は、オーダー端末のメッセージ受信処理の流れの一例を示すフローチャートである。
【図８】図８は、オーダー端末のディスプレイのメッセージ受信処理における画面遷移例を示す図である。
【発明を実施するための形態】
【０００８】
以下、図面を参照して一実施形態について説明する。
【０００９】
図１は、実施形態に係る注文処理システム１００の構成を示すシステム構成図である。この注文処理システム１００は、飲食店や販売店などのような顧客の注文に応じて飲食サービスや商品販売サービスを提供する様々な施設で利用可能である。ただし以下においては、飲食店での利用に適応するものとして構成された注文処理システム１００について説明することとする。
【００１０】
注文処理システム１００は、複数の情報端末１、複数のオーダー端末２、複数の伝票プリンタ３およびステーション４をＬＡＮ（Local  Area  Network）５にそれぞれ接続している。ただし、オーダー端末２は、無線アクセスポイント６を介してＬＡＮ５に接続される。情報端末１、オーダー端末２および伝票プリンタ３は、図１では２つずつを図示しているが、その数はそれぞれに任意である。情報端末１、オーダー端末２および伝票プリンタ３は、１つのみが設けられても良い。
【００１１】
情報端末１は、ＰＣ（Personal  Computer）やＰＯＳ（Point  of  Sales）端末などであり、例えば接客フロアやチェックアウトカウンタに設置される。情報端末１は、顧客に対する案内業務、受注業務、給仕（配膳）業務、あるいは会計業務など各種の業務に関する処理を行う。そして、接客フロアに設置された情報端末１においては、案内業務、受注業務および給仕（配膳）業務に関する処理が主として利用される。また、チェックアウトカウンタに設置された情報端末１においては、さらに会計業務に関する処理が利用される。なお、情報端末１は、上記の業務の一部のみに関する処理を行うことにより、特定の用途に特化したものとしても良い。
【００１２】
オーダー端末２は、操作キーが複数配列されたユーザインタフェースを備え、このユーザインタフェースによりオーダー入力のためのユーザの操作を入力する入力装置として機能する。オーダー端末２は、入力した操作に従ってオーダー情報を生成し、このオーダー情報を無線送信する。オーダー端末２から無線送信されたオーダー情報は、無線アクセスポイント６およびＬＡＮ５を介してステーション４に伝送される。
【００１３】
伝票プリンタ３は、例えば接客フロアやキッチンに設置される。接客フロアに設置された伝票プリンタ３は、オーダー情報に基づく注文伝票を顧客のために印刷する。すなわち、接客フロアに設置された伝票プリンタ３は、いわゆるカスタマープリンタとして利用される。またキッチンに設置された伝票プリンタ３は、オーダー情報に基づく調理指示伝票を調理人のために印刷する。すなわち、キッチンに設置された伝票プリンタ３は、いわゆるキッチンプリンタとして利用される。
【００１４】
ステーション４は、例えばバックヤードに設置され、情報端末１から送信された各種の情報を集計処理し、飲食店の営業に関わる管理業務に関する処理を行う。また、ステーション４は、複数の情報端末１で共通に利用される情報の管理処理も行う。
【００１５】
概略的には、注文処理システム１００においては、情報端末１やオーダー端末２でオーダー入力のための操作をユーザが行うと、その操作に応じて情報端末１やオーダー端末２で生成されたオーダー情報がＬＡＮ５を介してステーション４に伝送される。ステーション４は、到来したオーダー情報を、会計処理や集計処理などのために管理する。またステーション４は、ＬＡＮ５を介して伝票プリンタ３へとオーダー情報を送信する。伝票プリンタ３は、到来したオーダー情報に応じた内容の調理指示伝票や注文伝票を印刷する。
【００１６】
次に、オーダー端末２について説明する。ここで、図２はオーダー端末２の外観を示す平面図、図３はオーダー端末２のハードウェア構成を示すブロック図である。
【００１７】
オーダー端末２は、携帯型の本体として、図２で左側に配置される第１の部材２１と、図２で右側に配置される第２の部材２２とを備える。第１の部材２１及び第２の部材２２は、いずれも略直方体状をなしている。第２の部材２２は、ヒンジ等の止め具２３を介して第１の部材２１に回動自在に連結されている。この止め具２３により、第２の部材２２は、第１の部材２１に対して第２の部材２２を開いた状態（図２）と閉じた状態（不図示）との間で開閉動作する。
【００１８】
第１の部材２１は、第２の部材２２を第１の部材２１に対して開いたときに外側に露出される面２１Ａに、表示操作部であるタッチパネル２４を配置している。また、図２で左側の側面２１Ｂにサイドキー２５を設けている。第２の部材２２は、この第２の部材２２を第１の部材２１に対して開いたときに外側に露出される面２２Ａに、メンブレン方式のキーボード２６を配置している。
【００１９】
タッチパネル２４は、表示部である液晶ディスプレイ（以下、ディスプレイと略す）２４１の画面上に操作部であるタッチパネルセンサ２４２を重ねて配置してなり、表示入力部２４Ａとテンキー部２４Ｂとに区分されている。表示入力部２４Ａには、後述する画面データが表示される。テンキー部２４Ｂには、「０」〜「９」のテンキーの他、「戻る」キー、「Ｃ」のクリアキー、「更新」キー、「△」及び「▽」の上下キー、「・」の小数点キーが配置される。
【００２０】
メンブレン方式のキーボード２６には、文字や輪郭が表面にマトリクス状に印刷された複数の固定キーが配置されている。メンブレン方式のキーボード２６は、他の種類のキーボードと比較して泥や液体等の汚れに強いという特徴を有している。各固定キーには、それぞれ注文業務を支援するための機能が割り付けられている。また、本実施形態のオーダー端末２のキーボード２６には、後述する複数のオーダー端末２の間でのメッセージ送受信処理の実行を宣言する連絡キー２６ａも割り付けられている。
【００２１】
オーダー端末２は、第１の部材２１または第２の部材２２のいずれか一方に、制御ボード３０を内蔵している。制御ボード３０には、図３に示すように、マイクロコンピュータ３９が備えられており、このマイクロコンピュータ３９が各部を駆動制御する。マイクロコンピュータ３９は、図３に示すように、各部を集中的に制御するＣＰＵ（Central  Processing  Unit）３１に、アドレスバス，データバス等のバスライン３８を介してＲＯＭ（Read  Only  Memory）３２と、ＲＡＭ（Random  Access  Memory）３３とが接続されて構成されている。このようなマイクロコンピュータ３９には、時計部３４、無線部３５、キーコントローラ３６、タッチパネルコントローラ３７及びサウンドコントローラ４０がバスライン３８を介して接続されている。
【００２２】
ＲＯＭ３２は、電源を切っても記憶情報が保持される不揮発性メモリであって、制御プログラム３２１を含むプログラムや設定データ等の固定的データを記憶する。ＲＡＭ３３は、ディスプレイ２４１に表示させる画面データやステーション４に送信するデータ等の可変的データを記憶する。時計部３４は、現在の日付及び時刻を計時する。
【００２３】
無線部３５は、無線アクセスポイント６との間でデータの送受信を制御する通信部であって、例えばIEEE  802.11規格の無線通信を実行する無線通信デバイスである。
【００２４】
キーコントローラ３６は、サイドキー２５及びキーボード２６の各固定キーを監視し、キー入力の有無を判別する。
【００２５】
タッチパネルコントローラ３７は、タッチパネル２４のディスプレイ２４１に表示される画面を制御する。また、タッチパネルコントローラ３７は、タッチパネルセンサ２４２の信号により画面上のタッチ位置を示す二次元座標を検出する。
【００２６】
サウンドコントローラ４０は、音源デバイスであり、再生対象のオーディオデータをスピーカ４１に出力する。
【００２７】
また、ＲＯＭ３２には、オーダー端末２のディスプレイ２４１の表示入力部２４Ａに表示させる画面データがページ毎に記憶されている。
【００２８】
続いて、オーダー端末２のマイクロコンピュータ３９が制御プログラム３２１に従って実行する各種の処理のうち、オーダー端末２のメッセージ送受信処理について説明する。
【００２９】
ここで、図４はオーダー端末２のマイクロコンピュータ３９が発揮するメッセージ送受信処理にかかる機能を示すブロック図、図５はオーダー端末２のメッセージ送信処理の流れの一例を示すフローチャート、図６はオーダー端末２のディスプレイ２４１のメッセージ送信処理における画面遷移例を示す図で、図７はオーダー端末２のメッセージ受信処理の流れの一例を示すフローチャート、図８はオーダー端末２のディスプレイ２４１のメッセージ受信処理における画面遷移例を示す図である。
【００３０】
図４に示すように、オーダー端末２のＣＰＵ３１は制御プログラム３２１に従って動作することによって、メッセージ指定手段３１１と、送信先指定手段３１２と、メッセージ送信手段３１３と、メッセージ受信手段３１４と、メッセージ表示手段３１５と、省電力手段３１６と、として機能する。
【００３１】
メッセージ指定手段３１１は、表示操作部であるタッチパネル２４で後述するメッセージ情報を指定する。送信先指定手段３１２は、メッセージ指定手段３１１によって指定されたメッセージ情報の送信先となる他のオーダー端末２をタッチパネル２４で指定する。メッセージ送信手段３１３は、メッセージ情報を送信先に対して無線部３５を介して送信する。
【００３２】
メッセージ受信手段３１４は、他のオーダー端末２から送信されたメッセージ情報を無線部３５を介して受信する。メッセージ表示手段３１５は、受信したメッセージ情報をタッチパネル２４に表示する。
【００３３】
省電力手段３１６は、オーダー端末２の使用をいったん中断する際に、作業状態を省電力モードでＲＯＭ３２に保存し、再開時には省電力モードを解除し、電源を切る直前の状態に戻すサスペンド機能を実現する。省電力モードにおいては、オーダー端末２内の予め決められた幾つかのデバイスそれぞれの電源のオン又はオフを指定するパラメータ値が規定されている。本実施形態のオーダー端末２においては、サスペンド状態（省電力モード中）であっても無線部３５を介してデータ受信可能なパラメータ設定になっている。
【００３４】
なお、メッセージ受信手段３１４が省電力モード中にメッセージ情報を無線部３５を介して受信した場合、メッセージ表示手段３１５は、メッセージ情報をタッチパネル２４に表示するとともに、当該メッセージ情報を受信した旨を報知する。
【００３５】
次いで、オーダー端末２のメッセージ送信処理の流れについて説明する。他のオーダー端末２に対してメッセージ情報を送る際においては、操作者は、キーボード２６の連絡キー２６ａを操作する。
【００３６】
操作者がキーボード２６の連絡キー２６ａを操作すると、オーダー端末２のＣＰＵ３１（メッセージ指定手段３１１）は、図６（ａ）に示すメッセージ送信処理に用いるメッセージ選択画面Ａをオーダー端末２のディスプレイ２４１の表示入力部２４Ａに表示する（ステップＳ１）。
【００３７】
図６（ａ）に示すように、メッセージ選択画面Ａは、予め定められたメッセージ情報を操作者に選択させるための画面である。図６（ａ）に示すメッセージ選択画面Ａには、「団体様到着」、「ＶＩＰ到着」、「緊急！クレーム対応」などのメッセージ情報が選択可能なメッセージキーｍ１が配置されている。加えて、メッセージ選択画面Ａには、操作者による手書きメッセージの入力を受け付ける手書きメッセージ入力キーｍ２も配置されている。
【００３８】
図５のフローチャートに示すように、オーダー端末２のＣＰＵ３１（送信先指定手段３１２）は、メッセージ選択画面Ａ上の所定のメッセージキーｍ１が選択された後に（ステップＳ２のＹｅｓ）、サイドキー２５の操作によってメッセージ情報が確定したと判断すると（ステップＳ３のＹｅｓ）、図６（ｂ）に示すような宛先選択画面Ｂをディスプレイ２４１の表示入力部２４Ａに表示する（ステップＳ４）。
【００３９】
図６（ｂ）に示すように、宛先選択画面Ｂは、確定したメッセージ情報を送信する宛先（例えばＩＰアドレス）を操作者に選択させるための画面である。図６（ｂ）に示す宛先選択画面Ｂには、全てのオーダー端末２への送信を指定する「全端末」に対する宛先キーｎ１、個別のオーダー端末２への送信を指定する「個別ＩＤ」が割り振られた宛先キーｎ２が配置されている。なお、「個別ＩＤ」の宛先キーｎ２は、各オーダー端末２に割り振られた識別番号に限るものではなく、各オーダー端末２に設定された操作者の氏名等であっても良い。
【００４０】
図５のフローチャートに示すように、オーダー端末２のＣＰＵ３１は、宛先選択画面Ｂ上の所定の宛先キーが選択された後にサイドキー２５の操作によって宛先が確定したと判断すると（ステップＳ５のＹｅｓ）、図６（ｃ）に示すような送信者選択画面Ｃをディスプレイ２４１の表示入力部２４Ａに表示する（ステップＳ６）。
【００４１】
図６（ｃ）に示すように、送信者選択画面Ｃは、確定したメッセージ情報を送信する送信者を操作者に選択させるための画面である。図６（ｃ）に示す送信者選択画面Ｃには、送信者を指定する「個別ＩＤ」が割り振られた送信者キーｉ１が配置されている。なお、送信者キーｉ１は、各オーダー端末２に割り振られた識別番号に限るものではなく、各オーダー端末２に設定された操作者の氏名等であっても良い。
【００４２】
なお、本実施形態においては、送信者選択画面Ｃを表示して送信者を操作者に選択させるようにしたが、これに限るものではなく、各オーダー端末２に設定された操作者の氏名等によって自動的に送信者を確定するようにしても良い。
【００４３】
図５のフローチャートに示すように、オーダー端末２のＣＰＵ３１（メッセージ送信手段３１３）は、送信者選択画面Ｃ上の所定の送信者キーｉ１が選択された後にサイドキー２５の操作によって送信者が確定したと判断すると（ステップＳ７のＹｅｓ）、ステップＳ３で確定したメッセージ情報を送信者情報とともにステップＳ５で確定した宛先に送信するとともに（ステップＳ８）、図６（ｄ）に示すようなメッセージ送信画面Ｄをディスプレイ２４１の表示入力部２４Ａに表示する（ステップＳ９）。
【００４４】
図６（ｄ）に示すように、メッセージ送信画面Ｄは、メッセージ情報の宛先毎の送信状況を示す画面である。図６（ｄ）に示すメッセージ送信画面Ｄには、宛先毎のメッセージ情報の宛先毎の送信状況（ＯＫ、ＮＧ）が表示される。なお、送信状況がＮＧの宛先については、メッセージ送信画面Ｄ上の所定の宛先を選択した後にサイドキー２５を操作することによって再送信することができる。
【００４５】
一方、図５のフローチャートに示すように、オーダー端末２のＣＰＵ３１（メッセージ指定手段３１１）は、メッセージ選択画面Ａ上の手書きメッセージ入力キーｍ２が選択された場合には（ステップＳ２のＮｏ、ステップＳ１０のＹｅｓ）、操作者による手書きメッセージの入力を受け付ける手書きメッセージ入力画面Ｅをディスプレイ２４１の表示入力部２４Ａに表示する（ステップＳ１１）。
【００４６】
図６（ｅ）に示すように、手書きメッセージ入力画面Ｅは、操作者による手書きメッセージの入力を受け付ける画面である。図６（ｅ）に示す手書きメッセージ入力画面Ｅには、ＰＤＡなどで座標を指定するために用いるペン型の入力装置であるスタイラスペンなどによってメッセージを手書き入力させるためのパネルＰが表示される。操作者は、パネルＰに対してスタイラスペンで所望のメッセージを記入した後、決定ボタンｂ１を操作する。
【００４７】
図５のフローチャートに示すように、オーダー端末２のＣＰＵ３１（送信先指定手段３１２）は、手書きメッセージ入力画面Ｅ上のパネルＰに対する所望のメッセージの記入後、決定ボタンｂ１の操作によってメッセージ情報が確定したと判断すると（ステップＳ３のＹｅｓ）、前述したように、図６（ｂ）に示すような宛先選択画面Ｂをディスプレイ２４１の表示入力部２４Ａに表示する（ステップＳ４）。
【００４８】
次いで、オーダー端末２のメッセージ受信処理の流れについて図７のフローチャートを参照しつつ説明する。
【００４９】
図７のフローチャートに示すように、オーダー端末２のＣＰＵ３１（メッセージ受信手段３１４）は、他のオーダー端末２から送信されたメッセージ情報を受信し（ステップＳ２１のＹｅｓ）、オーダー端末２がサスペンド状態でなければ（ステップＳ２２のＮｏ）、オーダー端末２のＣＰＵ３１（メッセージ表示手段３１５）は、図８（ａ）に示すようなメッセージ受信画面Ｆをディスプレイ２４１の表示入力部２４Ａに表示する（ステップＳ２３）。
【００５０】
図８（ａ）に示すように、メッセージ受信画面Ｆは受信したメッセージ情報を表示する画面である。図８（ａ）に示すメッセージ受信画面Ｆには、受信したメッセージ情報を送信者情報とともに表示するポップアップ画面ＰＵが表示される。また、図８（ａ）に示すように、ポップアップ画面ＰＵには、メッセージ確認ボタンｂ２も表示される。なお、複数のメッセージ情報を受信した場合には、ポップアップ画面ＰＵをメッセージ情報の数だけ表示するようにしても良いし、ポップアップ画面ＰＵ内に複数のメッセージ情報を表示するようにしても良い。
【００５１】
なお、図６（ｅ）に示した手書きメッセージ入力画面Ｅで手書き記入されたメッセージ情報が送信された場合には、メッセージ受信画面Ｆのポップアップ画面ＰＵには手書きメッセージがメッセージ情報として表示される。
【００５２】
図７のフローチャートに示すように、オーダー端末２のＣＰＵ３１は、メッセージ受信画面Ｆのポップアップ画面ＰＵのメッセージ確認ボタンｂ２の操作によってメッセージ確認が指示されたと判断すると（ステップＳ２４のＹｅｓ）、図８（ｂ）に示すようなメッセージ確認画面Ｇをディスプレイ２４１の表示入力部２４Ａに表示する（ステップＳ２５）。
【００５３】
図８（ｂ）に示すように、メッセージ確認画面Ｇは受信したメッセージ情報を一覧表示する画面である。図８（ｂ）に示すメッセージ確認画面Ｇには、受信したメッセージ情報が一覧表示されるとともに、表示されるメッセージ情報の更新を指示する更新ボタンｂ３および表示されたメッセージ情報の削除を指示する削除ボタンｂ４が表示されている。
【００５４】
なお、本実施形態のオーダー端末２は、前述したように、サスペンド状態（省電力モード中）であっても無線部３５を介してデータ受信可能である。したがって、オーダー端末２のＣＰＵ３１（メッセージ表示手段３１５）は、サスペンド状態（省電力モード中）において他のオーダー端末２から送信されたメッセージ情報を受信した場合には、メッセージ表示以外の別の報知手段によってメッセージ情報を受信した旨を伝達する必要がある。そこで、オーダー端末２のＣＰＵ３１（メッセージ表示手段３１５）は、サスペンド状態（省電力モード中）において他のオーダー端末２から送信されたメッセージ情報を受信した場合には（ステップＳ２２のＹｅｓ）、図８（ａ）に示すようなメッセージ受信画面Ｆをディスプレイ２４１の表示入力部２４Ａに表示するとともに（ステップＳ２６）、メッセージ表示以外の別の報知手段によってメッセージ情報を受信した旨を報知する（ステップＳ２７）。
【００５５】
報知手段の例としては、予め「メッセージ情報を受信した旨」のオーディオデータを用意しておき、サウンドコントローラ４０からスピーカ４１に出力するようにする。なお、これに限るものではなく、ＬＥＤの発光によるメッセージ情報を受信した旨の報知、バイブレータの振動によるメッセージ情報を受信した旨の報知などであっても良い。
【００５６】
このように本実施形態のオーダー端末２によれば、タッチパネル２４で指定したメッセージ情報を、送信先として指定した他のオーダー端末２に対してステーション４を経由せずに送信することができるので、ステーション４に何らかの障害が発生している場合であっても、他のオーダー端末２に対してメッセージ情報を届けることができ、他のオーダー端末２のタッチパネル２４にメッセージ情報を表示することができる。
【００５７】
本実施形態のオーダー端末２で実行される制御プログラム３２１は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５８】
さらに、本実施形態のオーダー端末２で実行される制御プログラム３２１を、インターネット等のネットワークに接続されたコンピュータ上に格納し、ネットワーク経由でダウンロードさせることにより提供するように構成しても良い。また、本実施形態のオーダー端末２で実行される制御プログラム３２１をインターネット等のネットワーク経由で提供または配布するように構成しても良い。
【００５９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６０】
２        入力装置
２４      表示操作部
３５      通信部
２４１    表示部
２４２    操作部
３１１    メッセージ指定手段
３１２    送信先指定手段
３１３    メッセージ送信手段
３１４    メッセージ受信手段
３１５    メッセージ表示手段
３１６    省電力手段
【先行技術文献】
【特許文献】
【００６１】
【特許文献１】特開平１１−１６７６７６号公報
【図１】
0005570565.tif 000002
【図２】
0005570565.tif 000003
【図３】
0005570565.tif 000004
【図４】
0005570565.tif 000005
【図５】
0005570565.tif 000006
【図６】
0005570565.tif 000007
【図７】
0005570565.tif 000008
【図８】
0005570565.tif 000009